(57)【要約】【課題】サッシレーンなどの狭小スペース、角に蓄積した塵、ゴミなどを掻く、擦り、掃きだし掃除することができる各種掃除用具（アタッチメント）を簡易に着脱可能に嵌着して、手で把持する掃除用グリップと、アタッチメントを掃除用グリップに備え、さらに複数のアタッチメントを瞬時に着脱交換し、使い分け、狭小スペースを手動で掃除することができる、アタッチメントを備えた掃除用具を提供する。【解決手段】手で握られる本体と、前記本体の一端に穿設され掃除用具である第一アタッチメントを嵌着させる第一穴と、前記本体の他端に穿設され掃除用具である第二アタッチメントを嵌着させる第二穴と、からなることを特徴とする掃除用グリップ、また掃除用グリップにアタッチメントを嵌着させたアタッチメント備えた掃除用具とした。【選択図】図１
2016214834.tif 000002
【特許請求の範囲】
【請求項１】
手で握られる本体と、
前記本体の一端に穿設され掃除用具である第一アタッチメントを嵌着させる第一穴と、
前記本体の他端に穿設され掃除用具である第二アタッチメントを嵌着させる第二穴と、
からなることを特徴とする掃除用グリップ。
【請求項２】
前記本体の両端部より内側の端部には、長手方向断面視で、他より低い湾曲状の凹部を、前記凹部より内側には、長手方向断面視で、中心に向け前記凹部からなだらかな湾曲状の凸部を備えることを特徴とする請求項１に記載の掃除用グリップ。
【請求項３】
前記第一、第二穴は多角柱状で、前記第一、第二穴は、同形であることを特徴とする請求項１又は請求項２に記載の掃除用グリップ。
【請求項４】
前記本体内部に、前記第一、第二穴に連通する貫通孔を備え、前記本体の一方の端部が吸引機に連設することを特徴とする請求項１〜請求項３の何れか１項に記載の掃除用グリップ。
【請求項５】
請求項１〜請求項３の何れか１項に記載の掃除用グリップと、
一端が前記第一穴に着脱可能で水平方向に回転せずに嵌る嵌着部で他端が第一清掃手段となる第一アタッチメントと、
一端が前記第二穴に着脱可能で水平方向に回転せずに嵌る嵌着部で他端が第二清掃手段となる第二アタッチメントと、
からなることを特徴とするアタッチメントを備えた掃除用具。
【請求項６】
前記第一アタッチメントが、ハケ又はヘラであり、
前記第二アタッチメントが、ハケ又はヘラであることを特徴とする請求項５に記載のアタッチメントを備えた掃除用具。
【請求項７】
請求項４に記載の掃除用グリップと、
前記掃除用グリップの一端に嵌着するとともに、内部に貫通孔を有し、先端が清掃手段となる第一アタッチメントと、
前記掃除用グリップの他端に嵌着され、その他端が空気吸引式の電気掃除機のノズルに接続可能な内部空洞の第二アタッチメントであるジョイントと、
からなる掃除用具であって、
前記第一アタッチメントで剥離した塵、ゴミを、前記第一アタッチメントの貫通孔、前記掃除用グリップの貫通孔、さらに前記ジョイントの内部空洞を通して、前記電気掃除機で吸引することを特徴とするアタッチメントを備えた掃除用具。
【請求項８】
前記第一アタッチメントが、
前記掃除用グリップの第一穴に嵌着する内部空洞で筒状の第一ジョイントと、
前記第一ジョイントの他端に嵌る筒部、及び前記筒部に連設されるとともに歯ブラシヘッド形状の基台と前記基台の底面に線条に穿孔したスリットを備える吸い込み口で構成され、内部に貫通孔を備えるフラットノズルと、
からなることを特徴とする請求項７に記載のアタッチメントを備えた掃除用具。
【請求項９】
前記吸い込み口のスリットを囲い、板状で内部に流路を備えるスリットノズルを前記吸い込み口の底面に対して略垂直方向に着脱可能に連結したことを特徴とする請求項８に記載のアタッチメントを備えた掃除用具。
【請求項１０】
前記スリットノズルの先端の面を、中心部が高く両端側が低い屈曲面としたことを特徴とする請求項９に記載のアタッチメントを備えた掃除用具。
【請求項１１】
前記基台の底面に植毛された毛部を備えることを特徴とする請求項８又は請求項９に記載のアタッチメントを備えた掃除用具。
【請求項１２】
前記第一ジョイントと前記筒部を、着脱可能としたことを特徴とする請求項８〜請求項１０の何れか１項に記載のアタッチメントを備えた掃除用具。
【請求項１３】
前記ジョイントと前記電気掃除機のノズルとの間に、軟質プラスチックで、可撓性のジャバラ部を有し、内部空洞の貫通孔を有するジャバラ管を１本、又は１本以上連結して備え、延長ホースとして利用されることを特徴とする請求項７〜請求項１２の何れか１項に記載のアタッチメントを備えた掃除用具。
【請求項１４】
前記ジャバラ管の前記ジョイント側の端部の対向する位置に、２つの凹部が形成されていることを特徴とする請求項１３に記載のアタッチメントを備えた掃除用具。
【請求項１５】
前記ジャバラ管の前記電気掃除機のノズル側端部が、端に行くにしたがって多段階に径が小さくしたことを特徴とする請求項１３又は請求項１４に記載のアタッチメントを備えた掃除用具。
【請求項１６】
前記ジョイントを、前記掃除用グリップの第二穴に嵌着する嵌着部と、前記嵌着部に連設する筒部と、前記筒部に穿設された穴とからなり、前記穴の開閉で掃除機の吸引力を調節する第二ジョイントとしたことを特徴する請求項７〜請求項１５の何れか１項に記載のアタッチメントを備えた掃除用具。
【発明の詳細な説明】
【技術分野】
【０００１】
本発明は、特に、狭小スペースを掃除する各種掃除用具（アタッチメント）を簡易に着脱可能に嵌着して、手で把持する掃除用グリップと、アタッチメントを前記掃除用グリップに備え、狭小スペースを手動で掃除することができ、さらには狭小スペースにおいてブラッシングによる汚れの掻き出しと、吸引機による汚れの吸引を同時に可能にする、アタッチメントを備えた掃除用具に関する。
【背景技術】
【０００２】
空気吸引式の電気掃除機では、ノズルの先端に、形状の異なる複数のヘッド（アタッチメント）が用意されている。しかしながら、サッシ、窓の枠、特に下枠（レーン）等の掃除では、細口ヘッドや、ブラシヘッドでも十分に、枠の角などに蓄積した塵、ゴミを掻きだし、擦りだし、或いは掃きだし、吸引することは困難である。また、電気掃除機のヘッドは大きく、細かな操作、作業に向かない。
【０００３】
他方、狭小スペースの掃除用具として、特許文献１などが公開されている。特許文献１の発明は、塵埃の捕集および排出が容易であり、狭小空間内も掃除することができ、静粛性があり快適に使用できるコンパクトな手動掃除具であって、捕塵体３を被掃除面に当接して、手動掃除具１を前後に往復移動させることによって、塵埃を捕集し収塵室３７に集めることができ、集めた塵埃は蓋体２８を開放して排出することができるというものである。
【０００４】
しかしながら、特許文献１の手動掃除具でも、サッシレーンなど、幅の狭い部分、角を掃除することはできず、また異なる形状のアタッチメントを複数、瞬時に使い分けることもできない。
【先行技術文献】
【特許文献】
【０００５】
【特許文献１】特開２００９−２０７６４６号公報
【発明の概要】
【発明が解決しようとする課題】
【０００６】
そこで、本発明は、サッシレーンなどの狭小スペース、角に蓄積した塵、ゴミなどを掻く、擦り、掃きだし掃除することができる各種掃除用具（アタッチメント）を簡易に着脱可能に嵌着して、手で把持する掃除用グリップと、アタッチメントを掃除用グリップに備え、さらに複数のアタッチメントを瞬時に着脱交換し、使い分け、狭小スペースを手動で掃除することができ、さらには狭小スペースにおいてブラッシングによる汚れの掻き出しと、吸引機による汚れの吸引を同時に可能にする、アタッチメントを備えた掃除用具を提供することを目的とする。
【課題を解決するための手段】
【０００７】
本発明は、上記課題を解決するため、
（１）
手で握られる本体と、
前記本体の一端に穿設され掃除用具である第一アタッチメントを嵌着させる第一穴と、
前記本体の他端に穿設され掃除用具である第二アタッチメントを嵌着させる第二穴と、
からなることを特徴とする掃除用グリップ。
（２）
前記本体の両端部より内側の端部には、長手方向断面視で、他より低い湾曲状の凹部を、前記凹部より内側には、長手方向断面視で、中心に向け前記凹部からなだらかな湾曲状の凸部を備えることを特徴とする（１）に記載の掃除用グリップ。
（３）
前記第一、第二穴は多角柱状で、前記第一、第二穴は、同形であることを特徴とする（１）又は（２）に記載の掃除用グリップ。
（４）
前記本体内部に、前記第一、第二穴に連通する貫通孔を備え、前記本体の一方の端部が吸引機に連設することを特徴とする（１）〜（３）の何れかに記載の掃除用グリップ。
（５）
（１）〜（３）の何れかに記載の掃除用グリップと、
一端が前記第一穴に着脱可能で水平方向に回転せずに嵌る嵌着部で他端が第一清掃手段となる第一アタッチメントと、
一端が前記第二穴に着脱可能で水平方向に回転せずに嵌る嵌着部で他端が第二清掃手段となる第二アタッチメントと、
からなることを特徴とするアタッチメントを備えた掃除用具。
（６）
前記第一アタッチメントが、ハケ又はヘラであり、
前記第二アタッチメントが、ハケ又はヘラであることを特徴とする（５）に記載のアタッチメントを備えた掃除用具。
（７）
（４）に記載の掃除用グリップと、
前記掃除用グリップの一端に嵌着するとともに、内部に貫通孔を有し、先端が清掃手段となる第一アタッチメントと、
前記掃除用グリップの他端に嵌着され、その他端が空気吸引式の電気掃除機のノズルに接続可能な内部空洞の第二アタッチメントであるジョイントと、
からなる掃除用具であって、
前記第一アタッチメントで剥離した塵、ゴミを、前記第一アタッチメントの貫通孔、前記掃除用グリップの貫通孔、さらに前記ジョイントの内部空洞を通して、前記電気掃除機で吸引することを特徴とするアタッチメントを備えた掃除用具。
（８）
前記第一アタッチメントが、
前記掃除用グリップの第一穴に嵌着する内部空洞で筒状の第一ジョイントと、
前記第一ジョイントの他端に嵌る筒部、及び前記筒部に連設されるとともに歯ブラシヘッド形状の基台と前記基台の底面に線条に穿孔したスリットを備える吸い込み口で構成され、内部に貫通孔を備えるフラットノズルと、
からなることを特徴とする（７）に記載のアタッチメントを備えた掃除用具。
（９）
前記吸い込み口のスリットを囲い、板状で内部に流路を備えるスリットノズルを前記吸い込み口の底面に対して略垂直方向に着脱可能に連結したことを特徴とする（８）に記載のアタッチメントを備えた掃除用具。
（１０）
前記スリットノズルの先端の面を、中心部が高く両端側が低い屈曲面としたことを特徴とする（９）に記載のアタッチメントを備えた掃除用具。
（１１）
前記基台の底面に植毛された毛部を備えることを特徴とする（８）又は（９）に記載のアタッチメントを備えた掃除用具。
（１２）
前記第一ジョイントと前記筒部を、着脱可能としたことを特徴とする（８）〜（１０）の何れかに記載のアタッチメントを備えた掃除用具。
（１３）
前記ジョイントと前記電気掃除機のノズルとの間に、軟質プラスチックで、可撓性のジャバラ部を有し、内部空洞の貫通孔を有するジャバラ管を１本、又は１本以上連結して備え、延長ホースとして利用されることを特徴とする（７）〜（１２）の何れかに記載のアタッチメントを備えた掃除用具。
（１４）
前記ジャバラ管の前記ジョイント側の端部の対向する位置に、２つの凹部が形成されていることを特徴とする（１３）に記載のアタッチメントを備えた掃除用具。
（１５）
前記ジャバラ管の前記電気掃除機のノズル側端部が、端に行くにしたがって多段階に径が小さくしたことを特徴とする（１３）又は（１４）に記載のアタッチメントを備えた掃除用具。
（１６）
前記ジョイントを、前記掃除用グリップの第二穴に嵌着する嵌着部と、前記嵌着部に連設する筒部と、前記筒部に穿設された穴とからなり、前記穴の開閉で掃除機の吸引力を調節する第二ジョイントとしたことを特徴する（７）〜（１５）の何れかに記載のアタッチメントを備えた掃除用具。
とした。
【０００８】
ここで、アタッチメントとは、先端に、目的、用途に応じ、例えば、サッシレーンなどの狭小スペース、角に蓄積した塵、ゴミなどを掻く、擦り、掃きだし掃除する清掃手段、より具体的には、ハケ（ブラシ）、ヘラ、スリット状ノズル、又は直接汚れに作用させなくとも掃除に用いる部品（例えば、連結管、延長管、径変更管なども含む概念）などを先端に備え、他端が掃除用グリップに、着脱可能に、即ち、簡易に嵌められ、簡単には脱落しない程度の嵌着、緩着、挿嵌或いは遊嵌などで装着（以下、まとめて嵌着という。）する清掃用具である。嵌着は、望ましくは、アタッチメントが水平方向に回転しないよう、アタッチメントの嵌着部は、多角形、アタッチメントの穴も同形とする、その他、アタッチメントの嵌着部の側面に突起を設け、掃除用グリップの本体の穴に凹部を設け水平方向の回転を防ぐ方法が例示できる。
【０００９】
アタッチメントと、掃除用グリップの嵌着は、どちらかに穴を設けて、他方を嵌めればよい。アタッチメントは、掃除用グリップの一方に嵌着されても、両方に嵌着されてもよい。両方に嵌着させるときでも、両方のアタッチメントが異なる形状、同形状であってもよい。異なる形状であれば、異なる用途に使用でき、同じ形状であれば使用により機能しなくなる場合でも、交換することなく使用することができる。アタッチメントを掃除用グリップの両方に嵌着させた場合、形状の異同に関係なく、一方を単に第一アタッチメント、他方を単に第二アタッチメントと呼ぶ。
【００１０】
吸引機は、一般には、家庭用の空気吸引式電気掃除機でよいが、その他、塵、ゴミを吸引できる機能を備えれば特に限定されるものではない。なお、吸引機は、掃除用グリップにアタッチメントを嵌着しない場合でも極小スペースの吸引に使用でき、アタッチメントを嵌着させる場合には、掃除用グリップの一方に内部に貫通孔が穿設されたアタッチメントを嵌着させて使用する。
【発明の効果】
【００１１】
本発明は、上記構成であるので、形状の異なる各種アタッチメントを容易かつ瞬時に着脱交換でき、また用途、掃除対象に合わせて使い分けできる、掃除用グリップ及び手動で極小スペースを掃除することができるアタッチメントを備えた掃除用具を提供することができる。
【００１２】
異なる形状のハケ、ヘラを備えることで、用途、目的に合わせて使い分け、掃除用グリップの一方に貫通孔を備えたハケ、ヘラを嵌着し、他方に空気吸引式の電気掃除機のノズルを連結、連通させれば、枠、角部において、細かな作業を伴う塵、ゴミの掻き、擦り、掃きだし及び吸引による掃除が簡単にできる。もちろん、電気掃除機が、水を吸引することができるものであれば、掃除対象箇所に水をスプレー、滴下などして共存させたうえで、ハケ、ブラシ等によって汚れに対するブラッシング掃除と、ブラッシングに伴い発生した汚水の吸引を同時にすることができる。
【図面の簡単な説明】
【００１３】
【図１】本発明である掃除用グリップの上下に異なる形状のハケ（アタッチメント）を嵌着したときのアタッチメントを備えた掃除用具の説明図で、（Ａ）は正面図、（Ｂ）は（Ａ）の分解図、（Ｃ）は（Ｂ）の縦（長手方向）断面図である。なお、（Ｂ）には、ハケの平面図を上に、掃除用グリップの平面図を右に掲載した。また、掃除用グリップは、平面視、底面視ともに同一形状になる。他の実施形態においても同じ。
【図２】本発明である掃除用グリップの上にハケ、下にヘラを嵌着したときのアタッチメントを備えた掃除用具の説明図で、（Ａ）は正面図、（Ｂ）は（Ａ）の分解図、（Ｃ）は（Ｂ）の縦断面図である。
【図３】本発明である掃除用グリップの上にハケ、下に吸引式電気掃除機のノズル（ホース口）にジョイントを介して接続したときのアタッチメントを備えた掃除用具の説明図で、（Ａ）は正面図、（Ｂ）は（Ａ）の分解図、（Ｃ）は（Ｂ）の断面図である。
【図４】本発明の他のアタッチメントを備えた掃除用具の実施形態で、本発明である掃除用グリップの上側にはハケ付ノズルを、下側には第二ジョイントを嵌着させ、さらに、第二ジョイントの他端は、ジャバラ管を介して吸引機（吸引式電気掃除機のノズル（ホース口））に接続する、アタッチメントを備えた掃除用具の説明図で、（Ａ）は部分正面図、（Ｂ）は（Ａ）の分解図、（Ｃ）は（Ｂ）の縦（長手）方向の断面図である。
【図５】本発明を構成するジャバラ管（１本）を可撓性の延長ホースとして使用した例の説明図で、（Ａ）は正面図、（Ｂ）は平面図、（Ｃ）は底面図、（Ｄ）は（Ｂ）のＡ−Ａ‘断面図である。
【図６】本発明を構成する第二ジョイントの斜視図である。
【図７】本発明である図４のアタッチメントを備えた掃除用具の見本の使用状態を示す写真で、（Ａ）は使用状態全景、（Ｂ）は（Ａ）のアタッチメントを備えた掃除用具部分の拡大写真である。
【図８】本発明を構成するジャバラ管の利用例の説明図で、（Ａ）はジャバラ管の吸い込み口を圧縮変形させた時の写真、（Ｂ）はサッシレーンでのジャバラ管の使用例（吸引式電気掃除機による吸引（図示省略））の写真である。
【図９】本発明であるジャバラ管の吸い込み口を圧縮変形させた、掃除機のノズルとしての使用例の写真である。
【図１０】本発明を構成するジャバラ管を延長ホース（２本連結）としての使用例の写真である。ジャバラ管の先端には、掃除機の既存のヘッドを装着して使用している。
【図１１】本発明を構成するアタッチメントの他の実施形態である、ハケ無しノズルの説明図で、（Ａ）は正面図、（Ｂ）は（Ａ）の分解図、（Ｃ）は（Ａ）の断面図である。
【発明を実施するための形態】
【００１４】
以下、添付図面に基づき、本発明の実施の形態について詳細に説明する。ただし、本発明はそれら実施形態に限定されるものではない。
【実施例１】
【００１５】
本発明の一例であるアタッチメントを備えた掃除用具１は、図１に示すように、掃除用グリップ２と、アタッチメントである、第一ハケ３及び第二ハケ４とからなる。
【００１６】
掃除用グリップ２は、外周部が手で握られる本体２ａと、本体２ａの一端に穿設され掃除用具の第一ハケ３を嵌着させる第一穴２ｅと、本体２ａの他端に穿設され掃除用具の第二ハケ４を嵌着させる第二穴２ｆと、本体２ａの内部で第一穴２ｅ及び第二穴２ｆに連通する貫通孔２ｄとからなる。なお、吸引を伴わない場合には、貫通孔２ｄは無くてもよい。
【００１７】
本体２ａは、両端部より内側の端部は、長手方向断面視で、他より低い湾曲状の凹部２ｂ、２ｂを形成し、凹部２ｂ、２ｂより内側は、長手方向断面視で、中心に向け凹部２ｂ、２ｂからなだらかな湾曲状の凸部２ｃを形成してなる。なお、本体２ａ側面等に、吸引が強い場合の吸引調整のための穴を開閉可能に穿設してもよい。その吸引空気調節穴は、アタッチメントに設けてもよい。
【００１８】
第一穴２ｅ及び第二穴２ｆは多角柱状、ここでは六角柱状形を示したがその他形状でもよく、第一、第二穴２ｅ、２ｆは、複数の形状の異なるアタッチメントを着脱可能に嵌着するため、を同形とすることが望ましい。その他、アタッチメントを嵌着させる穴の形状は、三角柱、四角柱状形など、アタッチメントが水平方向に回転しない形状が望ましい。
【００１９】
また、第一穴２ｅ及び第二穴２ｆに上下位置で径が異なるようテーパーを設けて、アタッチメントを強く嵌着させてもよい。或いは、本体の第一穴２ｅ及び第二穴２ｆとアタッチメントの嵌着状態を保持するその他機構を備えてもよい。例えば、ツメとツメを係止する凹みなどが例示できる。
【００２０】
第一ハケ３は、屈曲し内部に貫通孔３ｃを備えた筒３ｂと、筒３ｂの先端に取り付けられた毛部３ｄと、他端に本体２ａの第一穴２ｅに嵌着し内部に筒３ｂを挿通固定する嵌着部３ａとからなる。毛部３ｄは、複数の毛を棒状に束ねた形状であり、細かな部分の掻きだし、擦りだし、掃きだし、吸引、掃除も最適である。
【００２１】
なお、毛部３ｄに水を通水する通水機構を備えると、掃除場所の水洗いもできて好適である。毛部３ｄへの通水としては、筒３ｂに穴を穿設して通水ホースを毛部３ｄの束内に挿入すること、毛部３ｄにホースを固定することなどが例示できる。他の毛部も同様に通水機構を備えることができる。
【００２２】
ここでは、筒３ｂは屈曲させたが、ストレートであってもよいし、他の形状であったてもよい、また長さ、径も任意である。筒３ｂが屈曲していることで、擦り動作が掃除対象部に伝わり易い。なお、吸引を伴わない場合には、貫通孔３ｃは無くてもよい。
【００２３】
第二ハケ４は、屈曲し内部に貫通孔４ｃを備えた筒４ｂと、筒４ｂの先端に取り付けられた毛部４ｄと、他端に本体２ａの第二穴２ｆに嵌着し内部に筒３ｂを挿通固定する嵌着部４ａとからなる。
【００２４】
嵌着部３ａ、４ａは同一形状である。毛部４ｄは、屈曲した筒４ｂの先端に線状に複数の毛を束ねた形状であり、幅広な部分を広範囲に掃除でき、また、狭い線状部を効果的に掻きだし、擦りだし、掃きだし、吸引、掃除することもできる。なお、吸引を伴わない場合には、貫通孔４ｃは無くてもよい。筒４ｂの長さ、径は任意である。
【００２５】
第一ハケ３、第二ハケ４は、それぞれ同じものを、第一穴２ｅ、第二穴２ｆに嵌着させてもよい。一方を外し、他方を吸引機と接続すれば、塵、ゴミの吸引が可能である。また、掃除する場所によって、複数の異なる形状のアタッチメントを着脱交換すれば、効果的に、狭小部の掃除が容易になる。
【実施例２】
【００２６】
本発明の一例であるアタッチメントを備えた掃除用具１ａは、図２に示すように、掃除用グリップ２と、アタッチメントである、第一ハケ３及びヘラ５とからなる。掃除用グリップ２及び第一ハケ３は、実施例１で説明しているので、ここではその説明を省略する。
【００２７】
ヘラ５は、先端の刃５ｃと、他端の本体２ａの第二穴２ｆに嵌着する嵌着部５ａと、刃５ｃと嵌着部５ａとの間に位置する幅広の平坦部５ｂとからなる。刃５ｃ及び平坦部５ｂは、掃除対象スペースの幅に合わせ、任意の幅とすることができ、複数の幅のものを用意するとよい。嵌着部５ａは、嵌着部３ａ、４ａと同一形状で、同じ用途、機能である。嵌着部５ａ、平坦部５ｂの長さは任意である。
【００２８】
刃５ｃで強固に固着する汚れを掃除対象部から剥離する。ヘラ５を外し吸引機に掃除用グリップ２を接続すれば、第一ハケ３又は第一ハケ３を外した第一穴２ｅから汚れを吸引することができる。狭小スペースでなければ、勿論の吸引機のノズルでゴミを吸引してもよい。
【実施例３】
【００２９】
本発明の一例であるアタッチメントを備えた掃除用具１ｂは、図３に示すように、掃除用グリップ２と、掃除用グリップ２の一端に嵌着するとともに、内部に貫通孔３ｃを有し、先端が清掃手段となる毛部３ｄを備えるアタッチメントである第一ハケ３と、ジョイント６とからなる。掃除用グリップ２及び第一ハケ３は、実施例１で説明しているので、ここではその説明を省略する。
【００３０】
ジョイント６は、掃除用グリップ２の他端に嵌着し内部に貫通孔６ｂを有する嵌着部６ａと、嵌着部６ａに連通し空気吸引式の電気掃除機等の吸引機に接続するノズル７に接続可能な内部空洞の筒６ｃとからなる。
【００３１】
このようにしてなるアタッチメントを備えた掃除用具１ｂは、アタッチメントである第一ハケ３、その他アタッチメントで、剥離した塵、ゴミ等を、第一ハケ３の先端からその貫通孔３ｃ、掃除用グリップ２の貫通孔２ｄ、さらにジョイント６の内部の貫通孔６ｂを通して、電気掃除機等の吸引機に吸引して、除去する。
【実施例４】
【００３２】
本発明の一例であるアタッチメントを備えた掃除用具１０は、図４に示すように、掃除用グリップ２と、掃除用グリップ２の一端に嵌着する第一アタッチメントであるハケ付きノズル１１と、掃除用グリップ２の他端に嵌着する第二アタッチメントである第二ジョイント１５と、必要に応じて用いる、第二ジョイント１５と電気掃除機のノズル７との間に介在するジャバラ管１６とからなる。
【００３３】
これ以前の実施例において用いた部品と同一の名称、符号は、それらが示す部品と、同一、又は同一の機能、構造を示すため、それらの実施例を参照することができるので、繰り返しの説明を省略する。例えば、掃除用グリップ２は、実施例１と同じである。
【００３４】
ハケ付きノズル１１は、第一ジョイント１２と、第二ハケ１３とからなる。
【００３５】
第一ジョイント１２は、掃除用グリップ２の第一穴２ｅに着脱可能に嵌着する嵌着部１２ａ（ここでは六角柱）と、嵌着部１２ａに連設する筒１２ｂと、嵌着部１２ａと筒１２ｂの内部を貫通する貫通孔１２ｃとからなる。
【００３６】
第二ハケ１３は、第一ジョイント１２の反掃除用グリップ２の筒１２ｂの端部に嵌る筒部１３ａと、筒１２ｂに連設されるとともに歯ブラシヘッド形状の基台１３ｂと、基台１３ｂの底面に植毛された毛部１３ｄと、基台１３ｂの底面に線条に穿孔したスリット１３ｅと、スリット１３ｅを囲い、板状で内部に流路１３ｃを備え基台１３ｂの底面に対して略垂直方向に着脱可能（図１１参照）に連結したスリットノズル１４とからなる。毛部１３ｄで擦り落とした汚れは、各部材の流路１４ｂ、１３ｃ、貫通孔１２ｃ、２ｄ、１５ｂ、１６ｉを、前記順で通り、ジャバラ管１６に接続する掃除機などの吸引機で吸引することができる。
【００３７】
スリットノズル１４の先端の面を、中心部が高く両端側が低い屈曲面１４ｃとすると、汚れに対してブラッシングをさせても、スリットノズル１４の先端面の一部が前後動中も上手く掃除対象面に接触するとともに、密着せず、ゴミ等の吸引をスムーズに行うことができる。
【００３８】
第一ジョイント１２の筒１２ｂと第二ハケ１３の筒部１３ａとは着脱自在とするとよい。基台１３ｂとスリットノズル１４とを別体にすると、毛部１３ｄの植毛がしやすい。基台１３ｂの幅が細くなると、既存の植毛機での毛部１３ｄの植毛が困難となる。また、清掃場所によっては、スリットノズル１４を外し、略フラットな基台１３ｂの底面、及び底面のスリット１３ｅを利用する掃除も可能になる。
【００３９】
第二ジョイント１５は、図６に示すように、掃除用グリップ２の第二穴２ｆに嵌着するとともに内部に貫通孔１５ｂを有する嵌着部１５ａと、嵌着部１５ａに連設する内部空洞で、一方向が開口しジャバラ管１６を接続する筒部１５ｃと、筒部１５ｃの掃除用グリップ２側の平面に穿設された複数の穴１５ｄとからなる。穴１５ｄは、その開閉で掃除機の吸引力を調節する。掃除機による吸引を強くする場合には穴１５ｄを塞いていく。  
【００４０】
ジャバラ管１６は、図４，５，７に示すように、軟質プラスチックで、可撓性のジャバラ部１６ｅと、ジャバラ部１６ｅの一端に連設する第二ジョイント１５の筒部１５ｃに連結する先端筒部１６ｆと、ジャバラ部１６ｅの他端に連設する尾部１６ｋとからなり、内部に貫通孔１６ｉを有する。
【００４１】
ジャバラ管１６は、第二ジョイント１５と前記電気掃除機のノズル７との間に、１本、又は１本以上連結、介在させて備え、延長ホースとして利用される（図１０（２本連結した上で、先端口部には掃除機の既存のヘッド７ａを連結してドアなど掃除した。））。ジャバラ管１６を延長ホースとして利用するとアタッチメントによる作用向きを容易にさせるとともに、吸引機を中央に置き、ジャバラ管１６を複数連結することで、掃除機本体７ｂ（図７（Ａ））を移動させなくとも広範囲の掃除を可能にする。
【００４２】
ジャバラ管１６は、それ自体、掃除機のヘッドとなり、細い部分の吸引においては、図８，９に示すように、サッシレール８、ドア９のガラス９ｂ部の桟９ａなどには、先端筒部１６ｆの端部の吸い込み口１６ｇを圧縮変形させて利用することができる。先端筒部１６ｆには、端部の対向する位置に、２つの凹部１６ｈが形成されている。凹部１６ｈは、吸引力を調整する、空気の取り込み穴となり、掃除面への先端筒部１６ｆの吸着を抑制する。
【００４３】
尾部１６ｋは、図５に示すように、電気掃除機のノズル側端で、端に行くにしたがって段差１６ｄをもって、多段階に、径を小さくするとよい。多段階の径を、ここでは、第一嵌着部１６ａ、第二嵌着部１６ｂ、第三嵌着部１６ｃとした。多段階に径を細めると、多種多様な掃除機ノズル等にフィットして汎用性を増すとともに、先端筒部１６ｆにもフィットする。
【実施例５】
【００４４】
図１１に示すように、図４において、毛部１３ｄのない第二ハケ（ハケ無しノズル２０）などの清掃手段も有効である。図１１のハケ無しノズル２０は、第一ジョイント１２の筒１２ｂに嵌着する筒部２３ａ、筒部２３ａに連設されるとともに歯ブラシヘッド形状で毛部１３ｄがない基台である吸い込み口２３ｂ、及び吸い込み口２３ｂの底面に線条に穿孔したスリット２３ｅとから構成されるフラットノズル２３と、スリット２３ｅを囲い、板状で内部に流路１４ｂを備え吸い込み口２３ｂの底面に対して略垂直方向に着脱可能に連結したスリットノズル１４とからなる。
【００４５】
フラットノズル２３とスリットノズル１４の着脱可能な連結は、スリットノズル１４の底面の凸部１４ａと、吸い込み口２３ｂの底面の凹部２３ｄの嵌着などが例示できる。ハケ無しノズル２０では、スリットノズル１４を吸い込み口２３ｂに嵌めても、嵌めなくても吸引に使用できる。スリットノズル１４を装着すれば、極細い部分のゴミの吸引に利用でき、ゴミは、流路１４ｂ、２３ｃを通り、第一ジョイントの筒１２ｂと通り、掃除機などの吸引機に吸引される。
【符号の説明】
【００４６】
１    アタッチメントを備えた掃除用具
１ａ  アタッチメントを備えた掃除用具
１ｂ  アタッチメントを備えた掃除用具
２    掃除用グリップ
２ａ  本体
２ｂ  凹部
２ｃ  凸部
２ｄ  貫通孔
２ｅ  第一穴
２ｆ  第二穴
３    第一ハケ
３ａ  嵌着部
３ｂ  筒
３ｃ  貫通孔
３ｄ  毛部
４    第二ハケ
４ａ  嵌着部
４ｂ  筒
４ｃ  貫通孔
４ｄ  毛部
５    ヘラ
５ａ  嵌着部
５ｂ  平坦部
５ｃ  刃
６    ジョイント
６ａ  嵌着部
６ｂ  貫通孔
６ｃ  筒
７    ノズル
７ａ  ヘッド
７ｂ  掃除機本体
８    サッシレール
９    ドア
９ａ  桟
９ｂ  ガラス
１０    アタッチメントを備えた掃除用具
１１    ハケ付きノズル
１２    第一ジョイント
１２ａ  嵌着部
１２ｂ  筒
１２ｃ  貫通孔
１３    第二ハケ
１３ａ  筒部
１３ｂ  基台
１３ｃ  流路
１３ｄ  毛部
１３ｅ  スリット
１４    スリットノズル
１４ａ  凸部
１４ｂ  流路
１４ｃ  屈曲面
１５    第二ジョイント
１５ａ  嵌着部
１５ｂ  貫通孔
１５ｃ  筒部
１５ｄ  穴
１６    ジャバラ管
１６ａ  第一嵌着部
１６ｂ  第二嵌着部
１６ｃ  第三嵌着部
１６ｄ  段差
１６ｅ  ジャバラ部
１６ｆ  先端筒部
１６ｇ  吸い込み口
１６ｈ  凹部
１６ｉ  貫通孔
１６ｋ  尾部
２０    ハケ無しノズル
２３    フラットノズル
２３ａ  筒部
２３ｂ  吸い込み口
２３ｃ  流路
２３ｄ  凹部
２３ｅ  スリット  
【図１】
2016214834.tif 000003
【図２】
2016214834.tif 000004
【図３】
2016214834.tif 000005
【図４】
2016214834.tif 000006
【図５】
2016214834.tif 000007
【図６】
2016214834.tif 000008
【図１１】
2016214834.tif 000009
【図７】
2016214834.tif 000010
【図８】
2016214834.tif 000011
【図９】
2016214834.tif 000012
【図１０】
2016214834.tif 000013